(57)【要約】【課題】  オーバフィルド光学系を用いた露光装置において、複数の光源に対応し、複数の光源の水平同期信号検出を本来のビームピッチにて検出し、画像形成時のずれを防止する。【解決手段】  複数の光源を有する半導体レーザと、回転多面鏡の１つの反射面の走査方向の幅より広い範囲にわたって光源から出射された光ビームを拡大する手段と、複数の光源からのビーム全てについて水平同期信号を生成する水平同期信号生成制御手段と、感光体上に入射される走査光が走査方向に渡って略一定となる補正電流プロファイルを記憶する手段と、補正電流プロファイルに基づいて光源に対して電流を供給する手段と、を備えた露光装置において、  水平同期信号検出手段に入射されるときの光ビームの光量を調整する水平同期時光強度調整手段を備え、水平同期時光強度調整手段により、水平同期信号検出手段に入射される各々の光ビームの光量が同一光量に調整されている。【選択図】  図１
2008039914.tif 000002
【特許請求の範囲】
【請求項１】
供給された電流量に応じた光量の光ビームを発光する複数の光源を有する半導体レーザと、
複数の反射面を備え前記光源から出射されかつ反射面で反射された光ビームが感光体上に走査線を形成するように回転される回転多面鏡と、
前記回転多面鏡の１つの反射面の走査方向の幅より広い範囲にわたって前記回転多面鏡に光ビームが照射されるように前記光源から出射された光ビームを拡大するビーム拡大手段と、
前記走査線上の始端に設けられ、前記光ビームを検出して水平同期信号を出力する水平同期信号検出手段と、
前記複数の光源からのビーム全てについて水平同期信号を生成するよう前記半導体レーザを駆動する水平同期信号生成制御手段と、
前記感光体上に入射される走査光が走査方向に渡って略一定となる補正電流プロファイルを記憶する補正電流プロファイル記憶手段と、
前記補正電流プロファイル記憶手段に記憶された補正電流プロファイルに基づいて前記光源に対して電流を供給する電流供給手段と、
を備えた露光装置において、
前記水平同期信号検出手段に入射されるときの光ビームの光量を調整する水平同期時光強度調整手段を備え、前記水平同期時光強度調整手段により、前記水平同期信号検出手段に入射される各々の光ビームの光量が同一光量に調整されていることを特徴とする露光装置。
【請求項２】
前記水平同期信号生成制御手段は、前記水平同期信号検出時の前記半導体レーザの駆動をＡＰＣ発光により行う制御手段であり、
前記水平同期時光強度調整手段はＡＰＣ発光時の光強度を調整する手段を備え、前記水平同期信号検出手段に入射されるときの各光ビームの光量を同一光量になるよう調整される、
ことを特徴とする請求項１記載の露光装置。
【請求項３】
前記水平同期時光強度調整手段は、第一の光ビームが前記水平同期信号検出手段に入射されるときの光量と、その他の光ビームが前記水平同期信号検出手段に入射されるときの光量とが同一になるように前記その他の光ビームが前記水平同期信号検出手段に入射されるときの光量を調整する手段であり、
該光量調整量は前記光源への補正電流値として前記補正電流プロファイル記憶手段に記憶され、
前記水平同期時光強度調整手段は、その他の光ビームが前記水平同期信号検出手段に入射されるときに前記電流供給手段を動作させることを特徴とする請求項１記載の露光装置。
【発明の詳細な説明】
【技術分野】
【０００１】
本発明は、露光装置に係わり、より詳しくは、光源から発光した光ビームを偏向して感光体を主走査して感光体を露光する露光装置に関する。
【背景技術】
【０００２】
従来より、複写機、ファクシミリ装置、レーザプリンタ等に用いられる露光装置では、レーザービームをポリゴンミラーなどの光偏向手段により感光体上を主走査すると共に感光体を副走査方向に回転させることにより副走査を行う。これにより、感光体上に静電潜像が形成される。
【０００３】
昨今、これらの装置のプリントスピードが高まっていることから、アンダーフィルド光学系でのポリゴンミラー回転数は限界になりつつある。そこで、オーバフィルド光学系が使われてきている。オーバフィルド光学系では、ポリゴンミラーに入射するレーザ−ビームの走査方向の径よりポリゴンミラーの各反射面の走査方向の長さを短くして、レーザービームを複数の反射面に同時に入射する。アンダーフィルド光学系と比較すると、オーバフィルド光学系では、感光体の所定の大きさのスポット光を生じさせるのに必要な反射面の走査方向の長さを大幅に小さくすることが出来、同じ直径のポリゴンミラーにアンダーフィルド光学系より多くの反射面を備えることが可能となる。よって、ポリゴンミラーをアンダーフィルド光学系より比較的低速で回転させると共に消費電力の少ないポリゴンミラー駆動装置が使えるなどの利点がある。
【０００４】
しかし、オーバフィルド光学系では、前述したように、入射したレーザービームの光束の一部を反射することから、ポリゴンミラーの反射面に入射される光量はポリゴンミラーの角度により異なる。図１０はこの状態を表した図であり、感光体上に入射される光量の分布は、感光体中央部が一番高く、端部に行くに連れて徐々に減少する。この光量分布の違いは、画質に悪影響を与える程のものである。
【０００５】
この問題を解決するため、特開平０９−１９７３１６に記載されているように、一走査面上のポイント毎の光量変動分を予め測定し記憶し、補正することで一走査面上の光量が略一定になるような制御が必要である。
【特許文献１】特開平０９−１９７３１６号公報
【特許文献２】特開２００１−３２４６８８号公報
【発明の開示】
【発明が解決しようとする課題】
【０００６】
しかし、更なるプリントスピードの高速化や低騒音化、低消費電力化を図るため、オーバフィルド光学系を使用しつつも、複数のレーザービームを使用した露光装置の必要性が高まっている。
【０００７】
複数のビームをオーバフィルド光学系で使用する場合、ポリゴンミラーに対する入射角度の違いにより、感光体端部に行くに連れて、ビーム間の光量差が大きくなる。特に水平同期信号を検出するセンサ（ＢＤセンサ）は光路的には感光体端部相当の位置に配置されるため、各ビームについてＢＤ信号検出を行うときの光量差も大きくなる。
【０００８】
このＢＤ信号検出時の光量差は、特開2001-324688にて説明されているように、感光体ドラム上での各ビーム間隔とＢＤセンサで検出されるビーム間隔に違いを生じさせる要因となり、画像上のずれを招くという問題がある。
【０００９】
本発明は、上述の点に鑑みてなされたもので、
本出願に係わる第一の発明の目的は、オーバフィルド光学系において、複数のビームを使用しても本来のビーム間隔での水平同期信号を検出することにある。
【００１０】
本出願に係わる第二の発明の目的は、水平同期信号検出部での各レーザのＡＰＣ発光時の光量を同一のものとし、かつ、一走査方向に略一定な光量分布になる光量補正を行うことにある。
【００１１】
本出願に係わる第三の発明の目的は、水平同期信号検出部においても光量補正を行い、各レーザが水平同期信号検出部に入射されるときの光量を同一光量にすることにある。
【課題を解決するための手段】
【００１２】
上記課題を達成するために請求項１に記載の発明は、供給された電流量に応じた光量の光ビームを発光する複数の光源を有する半導体レーザと、複数の反射面を備え前記光源から出射されかつ反射面で反射された光ビームが感光体上に走査線を形成するように回転される回転多面鏡と、前記回転多面鏡の１つの反射面の走査方向の幅より広い範囲にわたって前記回転多面鏡に光ビームが照射されるように前記光源から出射された光ビームを拡大するビーム拡大手段と、前記走査線上の始端に設けられ、前記光ビームを検出して水平同期信号を出力する水平同期信号検出手段と、前記複数の光源からのビーム全てについて水平同期信号を生成するよう前記半導体レーザを駆動する水平同期信号生成制御手段と、前記感光体上に入射される走査光が走査方向に渡って略一定となる補正電流プロファイルを記憶する補正電流プロファイル記憶手段と、
前記補正電流プロファイル記憶手段に記憶された補正電流プロファイルに基づいて前記光源に対して電流を供給する電流供給手段と、を備えた露光装置において、
前記水平同期信号検出手段に入射されるときの光ビームの光量を調整する水平同期時光強度調整手段を備え、前記水平同期時光強度調整手段により、前記水平同期信号検出手段に入射される各々の光ビームの光量が同一光量に調整されていることを特徴とする。
【００１３】
また、請求項２に記載の発明は、請求項１に記載の露光装置において、前期水平同期信号生成制御手段は、前記水平同期信号検出時の前記半導体レーザの駆動をＡＰＣ発光により行う制御手段であり、前記水平同期時光強度調整手段はＡＰＣ発光時の光強度を調整する手段を備え、前記水平同期信号検出手段に入射されるときの各光ビームの光量を同一光量になるよう調整されることを特徴とする。
【００１４】
また、請求項３に記載の発明は、請求項１に記載の露光装置において、前記水平同期時光強度調整手段は、第一の光ビームが前記水平同期信号検出手段に入射されるときの光量と、その他の光ビームが前記水平同期信号検出手段に入射されるときの光量とが同一になるように前記その他の光ビームが前記水平同期信号検出手段に入射されるときの光量を調整する手段であり、該光量調整量は前記光源への補正電流値として前記補正電流プロファイル記憶手段に記憶され、前記水平同期時光強度調整手段は、その他の光ビームが前記水平同期信号検出手段に入射されるときに前記電流供給手段を動作させることを特徴とする。
【発明の効果】
【００１５】
以上説明したように、
請求項１に係わる発明によれば、供給された電流量に応じた光量の光ビームを発光する複数の光源を有する半導体レーザと、複数の反射面を備え前記光源から出射されかつ反射面で反射された光ビームが感光体上に走査線を形成するように回転される回転多面鏡と、前記回転多面鏡の１つの反射面の走査方向の幅より広い範囲にわたって前記回転多面鏡に光ビームが照射されるように前記光源から出射された光ビームを拡大するビーム拡大手段と、前記走査線上の始端に設けられ、前記光ビームを検出して水平同期信号を出力する水平同期信号検出手段と、前記複数の光源からのビーム全てについて水平同期信号を生成するよう前記半導体レーザを駆動する水平同期信号生成制御手段と、前記感光体上に入射される走査光が走査方向に渡って略一定となる補正電流プロファイルを記憶する補正電流プロファイル記憶手段と、前記補正電流プロファイル記憶手段に記憶された補正電流プロファイルに基づいて前記光源に対して電流を供給する電流供給手段と、を備えた露光装置において、前記水平同期信号検出手段に入射されるときの光ビームの光量を調整する水平同期時光強度調整手段を備え、前記水平同期時光強度調整手段により、前記水平同期信号検出手段に入射される各々の光ビームの光量が同一光量に調整されていることを特徴とするため、オーバフィルド光学系においても、複数ビームを使用した場合に本来のビーム間隔で水平同期信号を検出できる。これにより、主走査方向での画像書き出し位置がビームによらず一定となり、良好な画像形成を行うことができる。
【００１６】
また、請求項２に係わる発明によれば、請求項１に記載の露光装置において、前期水平同期信号生成制御手段は、前記水平同期信号検出時の前記半導体レーザの駆動をＡＰＣ発光により行う制御手段であり、前記水平同期時光強度調整手段はＡＰＣ発光時の光強度を調整する手段を備え、前記水平同期信号検出手段に入射されるときの各光ビームの光量を同一光量になるよう調整されることを特徴とするため、安定して同一の光量を水平同期信号検出手段に入射することが可能となる。
【００１７】
また、請求項３に係わる発明によれば、請求項１に記載の露光装置において、前記水平同期時光強度調整手段は、第一の光ビームが前記水平同期信号検出手段に入射されるときの光量と、その他の光ビームが前記水平同期信号検出手段に入射されるときの光量とが同一になるように前記その他の光ビームが前記水平同期信号検出手段に入射されるときの光量を調整する手段であり、該光量調整量は前記光源への補正電流値として前記補正電流プロファイル記憶手段に記憶され、前記水平同期時光強度調整手段は、その他の光ビームが前記水平同期信号検出手段に入射されるときに前記電流供給手段を動作させることを特徴とするため、オーバフィルド光学系には必須である光量補正機能を適用でき、装置のコストアップなく水平同期信号検出手段に対する各レーザ光の入射光量を同一にすることが可能となる。
【発明を実施するための最良の形態】
【００１８】
（実施例１）
以下、本発明の実施の形態を図面を参照して詳細に説明する。
【００１９】
図１は、本発明の本形態に係わる露光装置を説明した図である。
【００２０】
図において、１はレーザ光源、２はコリメータレンズ、３は絞り、４は主走査エクスパンダ−レンズ、５はシリンドリカルレンズ、７は折り返しミラー、８はポリゴンミラー、９はｆθレンズ、１０は主に副走査方向にパワーを有すアナモフィック非球面レンズ、１１はドラム前折り返しミラーである。１２は画像の書き出しタイミングを決定するために設けられている水平同期検出素子（BDセンサ）１３にビームを導くためのＢＤ反射ミラーである。
【００２１】
レーザ光源１から放射されたレーザ光はコリメータレンズ２によって近平行光にされ、絞り３によって光束を規制され、主走査エクスパンダーレンズによって主走査方向について光束が発散光となり、シリンドリカルレンズ５により副走査方向についてのみ集光し、折り返しミラー７で反射及び折り返されｆθレンズ９を通過してポリゴンミラー８の反射面近傍に線上に集光される。ポリゴンミラー８は一定速度で回転しレーザ光を偏向する。
【００２２】
さらに、偏向されたレーザ光はｆθ特性をもったｆθレンズ９に再び入射し、光束を主走査方向について集光させる。ｆθレンズを出射した光束は副走査方向にパワーを持ったアナモフィック非球面レンズ１０により副走査方向に集光されドラム前折り返しミラー１１を経由して図示しない感光体ドラム上にスポットを形成する。
【００２３】
図２は露光装置の制御ブロックを表した図である。
【００２４】
半導体レーザ１には、レーザ光源２１ａ（LD）と21ｂ、その近傍にはＬＤ21より発光したレーザービームを受光し、受光したレーザービームの光量に対応した電流を出力するフォトダイオード（PD）２２が配置されている。LD２１のアノードは電源に、カソードはレーザ制御手段であるレーザドライバIC２７のLDOA端子およびLDOB端子に接続されている。PD２２の片端は電源に、もう一端はレーザドライバIC２７のPD端子に接続されている。抵抗R1aとR1bは電源とレーザドライバIC２７のR0A端子およびR0B端子間に設けられている。抵抗R３ａとＲ３ｂはGNDとレーザドライバIC２７のRMAおよびRMB端子間に設けられている。コンデンサC1aとC1bはGNDとレーザドライバIC２７のVCHAおよびVCHB端子間に設けられている。抵抗Ｒ２ａとＲ２ｂはGNDとレーザドライバIC２７のＲＳＡおよびＲＳＢ端子間に設けられている。露光装置制御部２８は、レーザドライバIC２７に対して制御信号やビデオ信号を送信し、ＡＰＣやレーザスイッチングの制御を司っている。光量補正部２９の出力は、定電流変換回路３０ａおよび３０ｂに入力され、定電流化された後にレーザドライバＩＣ２７のＲＳＡおよびＲＳＢ端子に接続され、図示しない感光体ドラム上での一走査上の光量が略一定になるよう電流供給を行っている。
【００２５】
次に、露光装置の一走査での動作について図３を参照に説明する。
【００２６】
期間（１）では、露光装置制御部２８がレーザドライバIC２７に対しAPC-B（Auto Power Control）の指示を行っており、レーザドライバIC２７はLD２１ｂのAPC発光を行う。LD21ｂを発光することで、その発光量に応じてPD２２に電流が流れるが、この電流はRMB端子からR3bに流れる。APC-B発光では、RMB端子の電圧が所望の値になるようにLD２１ｂの電流が調整される。このLD２１ｂの電流を電流-電圧変換してVCHB端子に出力する。この状態が一定時間経過したら、APC-Bを終了し、期間（２）へと遷移する。
【００２７】
期間（２）では、露光装置制御部２８がレーザドライバIC２７に対しAPC-A（Auto Power Control）の指示を行っており、もう一方の光源LD２１ａについて先の期間（１）と同様の処理を行う。APC-Ａ発光中にBDセンサからの出力（BD-A、立下り）が得られたら、すぐ（または所定時間後）にAPC-Ａ発光を終了し、再びAPC-B状態に遷移する。
【００２８】
期間（３）では、BDセンサからの出力（BD-B、立下り）が得られたら、すぐ（または所定時間後）にAPC-B発光を終了し、マスク状態に遷移する。
【００２９】
期間（４）では、露光装置制御部２８がレーザドライバIC２７に対しマスク制御の指示を出す。これによりLD２１a、LD21bの発光は行われず、VCHA端子およびVCHB端子の電圧に基づいて決まる定電流をR1a、R1bおよびR2a、R2bに供給する。この電流を流す目的は、LD21a，LD21bの立ち上がりを早くするためである。期間（４）の時間は、BDセンサ信号が入力されてから、画像を書き出すまでの時間で決まっており、紙サイズなどや縁有り/縁無しなどで可変な値となっている。
【００３０】
期間（５）では、露光装置制御部２８がレーザドライバIC２７に対しビデオ入力を指示する。これにより、画像データ（ビデオ信号）に基づいたレーザ発光が行われる。ビデオ入力がTrueのときにはLD21に電流が流れ、FalseのときにはR1に電流を流すようなスイッチングが行われる。
【００３１】
期間（６）では、再びマスク状態となる。このタイミングについても、先の期間（４）と同様に紙サイズなどや縁有り/縁無しなどで可変な値となっている。
【００３２】
以上が繰り返されることで、一走査毎に各光源に対するAPCとBD検出が行われ、感光体ドラム上への静電潜像形成が行われる。
【００３３】
次に、光量補正について述べる。
【００３４】
図５は、光量補正部２９のブロック構成を示した図である。
【００３５】
光量補正部２９には、ロジック部５１、内部に不揮発性メモリと各種設定レジスタを備えた内部メモリ５２、D/A変換部５３が備えられている。ロジック部５１は、露光制御装置２８からのトリガ（TR）信号、動作クロック（SCLK）信号、データアウト（DO）信号、データ通信クロック（SCK）信号、セレクト（CS）信号を入力され、データイン（DI）信号を出力している。また、内部メモリ５２の読み書き、D/A変換部５３への動作指示も同時に行っている。
【００３６】
内部メモリ中の不揮発性メモリには、補正データがデジタル値で記憶されている。この補正データは、アドレスマッピングされており、本実施例では２つの光源であるため、光源Ａ、光源Ｂのそれぞれに対しての補正データがアドレスマッピングされている。これらの補正データは、ロジック部５１からのクロックにより順次D/A変換部５３にデータ送信され、このデジタル値をアナログ変換した電圧が定電流回路に入力され、定電流化されてRSAおよびRSB端子に供給される。
【００３７】
図４は、抵抗RSに供給した電流量とLD21の補正光量との関係を示した一例図であり、横軸をRS供給電流、縦軸を補正光量分としている。抵抗ＲＳに供給する電流量に対し、補正されるレーザ発光量は比例関係にある。
【００３８】
次に、露光装置の光量調整について説明する。
【００３９】
光源２１ａ、２１ｂからの光は各レンズを透過し、ドラム前折り返しミラーを経由して感光体ドラムに入射される。これら各レンズの透過率のばらつき、各折り返しミラーの反射率のばらつき、半導体レーザの放射パターン（ＦＦＰ：ファーフィールド）のばらつきから、感光体上に入射される光量を一定に保つためには、個々の露光装置に対して光量調整を行う必要がある。この光量調整を行う機能がＲ３ａ，Ｒ３ｂの抵抗である。
【００４０】
これらの抵抗は可変抵抗であり、抵抗値を低くするとよりレーザに電流を多く流すためＡＰＣ時の発光量が増大し、抵抗値を大きくするとＡＰＣ時の発光量は低下する。この光量調整を行う位置はＢＤセンサの位置にて行う。
【００４１】
例えば、図１におけるＢＤセンサ１３の位置に、フォトダイオードなどの光量検出素子を置き、ＡＰＣ-Ａ発光を行い、光量検出素子の検出値が所定の値、Ｐ（たとえば、感光体ドラム上で欲しい光量に対してドラム前折り返しミラー１１の反射率のばらつきを考慮した値）になるようＲ３ａを調整する。次にＡＰＣ-Ｂ発光を行い、同様に光量検出素子の検出値が所定の値、ＰになるようＲ３ｂを調整する。
【００４２】
あるいは、ＢＤセンサ自体に入射光量に応じたアナログ電圧出力を出す機能を持たせ、この電圧をモニタしながら可変抵抗を調整してＡＰＣ時の光量を調整しても良い。
【００４３】
調整は、ポリゴンミラー８が回転している状態にてオシロスコープなどを光量検出素子に接続して調整しても良いし、ポリゴンミラー８の角度を光ビームが光量検出素子に当たるように固定して行っても良い。
【００４４】
図６は、ＢＤセンサの位置でＡＰＣ光量を調整した場合と画像センター部で調整したときのＡＰＣ発光したときの感光体上の光分布を示した図である。（ａ）が画像中心部でＬＤＡ、ＬＤＢのＡＰＣ光量を調整した場合であり、端部に行く程お互いのビーム光量に差が生じている。一方、（ｂ）はＢＤセンサ部でＡＰＣ光量を調整した場合であり、画像中心部での光量差が一番大きくなっている。
【００４５】
この状態（ＢＤセンサ部にてＡＰＣ光量を合わせた状態）にて光量補正データを求めることにより、感光体上のへの露光光量を一定に制御する。
【００４６】
図７は、図６におけるＬＤＡのＡＰＣ光量に対応した光量分布のデータ表である。感光体上を主走査方向に３２分割して、それぞれの位置におけるＬＤＡのＡＰＣ発光時の感光体上での光量が補正前光量として示されている。画像形成時に感光体上に照射されるビーム光量を215ｕＷとしているので、各位置における補正光量は、（補正前光量）−215  として計算されている。図７（ｂ）に補正前光量、補正光量、感光体上の目標光量の関係を示した。光量補正は、ＲＳＡ端子（抵抗Ｒ２ａ）に電流を供給することで光源からの光量を低下させる方向での補正であるため、補正光量を電流換算する。この換算された電流値を示したものが補正電流量である。この補正電流量が定電流回路３０ａより供給される。定電流回路３０ａから供給される補正電流量は、光量補正部２９から定電流回路３０に出力される電圧により決定される。補正電圧目標で示されている部分がそれぞれの補正電流量に対応した光量補正部からの出力電圧である。光量補正部から出力される電圧は、メモリに記憶されたデータに対し出力単位電圧を乗じた値、・・・たとえば、出力単位5mV、データ0AHのときは、5mV×10＝50mV・・・であるため、補正電圧目標を出力単位電圧で割った値がメモリ内に記憶されるデータ値となる。同様のことがＬＤＢについても行われる。
【００４７】
このようにして、各々の露光装置毎にＡＰＣ光量調整が行われ、光量補正部のメモリに光量補正データが順次格納される。図８は記憶された補正データの状況である。ＬＤＡ用の補正データメモリがアドレス“0000ｈ”から“007Ｆｈ”まで設けられており、本実施例では“001Ｆｈ”までの32行を使用している。ＬＤＢ用の補正データメモリがアドレス“0080ｈ”から“00ＦＦｈ”まで設けられており、本実施例では“009Ｆｈ”までの32行を使用している。
【００４８】
図９は、露光装置制御部２８が行う制御のフローチャートである。
【００４９】
ステップＳ６０１においてプリント指示がなされると、ステップS602において光量補正部に対しＬＤＡの光量補正開始アドレスを“00H"として書き込み、さらにステップS603でＬＤＡの補正データ数を”３２“として書き込む。
【００５０】
次に同様にしてＬＤＢの光量補正開始アドレス、補正データ数を書き込む。
【００５１】
次のステップS606でこの補正データをD/A変換部に順次転送するクロックを指定する。
【００５２】
本実施例の場合、100KHzでデータ数３２であるから、1/100k*32＝320usec  の間、光量補正が行われる。このクロック周波数と補正データ数は、光量補正の分解能やポリゴンミラーの回転速度に応じて通常最適化されている。
【００５３】
次のステップS607では、スキャナレディーまで待機する。スキャナレディーとは、ポリゴンミラーの回転数がプリント可能な回転数に到達し、さらに回転が安定した状態を示している。スキャナレディーになったことを判断すると、ステップS608で光量補正開始を光量補正部に指示する。これを受けた光量補正部は、一走査毎に同期をとり光量補正を行う。次にプリント終了か否かをステップS609で判定し、プリント終了を判断したらステップS610で光量補正停止指示を光量補正部に送り、本制御を終了する。
【００５４】
以上のように、ＢＤセンサ部でお互いのレーザのＡＰＣ時の光量が同じになるように調整を行い、その状態にて光量補正データを求め光量補正を行うことで、オーバフィルド光学系においても、複数ビームを使用した場合に本来のビーム間隔でＢＤ信号を検出できる。
【００５５】
（実施例２）
先述の実施例では、ＡＰＣ時の光量をＢＤセンサ部で各ビームともに同一光量になるように調整を行ったが、本実施の形態では、光量補正を利用してＢＤセンサ部のお互いの光量を同一にしてＢＤ信号検出行うものである。
【００５６】
以下、図を用いて説明する。
【００５７】
図１１は、本実施例での感光体上相当位置の各レーザの一走査範囲の光量分布を示したものである。お互いのレーザは画像中心でＡＰＣ調整されており、この位置でＡＰＣ光量が同一になるよう調整されている。光量分布は６０分割されて測定されており、画像中心から左右に２４箇所（画像領域で４８箇所）、その他で１２箇所となっている。ＢＤセンサは丁度ポリゴンの反射面が切り替わる位置に配置されている。
【００５８】
ＬＤＡのＢＤセンサ部の光量は、感光体上の目標光量を下回っている。一方ＬＤＢでは感光体上の目標光量を上回っている。光量補正は光量を低減させる方向に機能するため、ＢＤセンサ部の光量を同一にするためには、ＬＤＢのＢＤセンサ入射時の光量を補正して、ＬＤＡのＢＤセンサ入射時の光量に合わせる必要がある。
【００５９】
図１２は、一走査における各期間がどれくらいの補正クロック時間に相当するかを示したタイミングチャートである。期間（１）、（２）には2CLK、期間（３）には1CLK、期間（４）には5CLK、期間（５）には48CLK、期間（６）には2CLKを要している。期間（３）でLDBからのビームがBDセンサに入射されるため、この期間の光量をLDAの光量に合わせなければならない。
【００６０】
図１３は、BDセンサ入射時のLDBの光量がLDAのそれと同じになるよう光量補正を行うときのデータである。図１２の期間（２）の初めから光量補正をスタートさせると、LDBの光がBDセンサに入射されるのは補正クロックで3CLK後であるため、この前後の2CLK〜4CLK目までをLDAの光がBDセンサに入射されるときの光量に合うようなデータとなっている。5CLK目から8CLK目まではマスク期間であるため、特に光量補正を行っていない（データをゼロとすることで補正されない）。9CLK目以降、48CLK分の光量補正を行い、感光体上の光量が一定になる。
【００６１】
以上のように、ＢＤセンサ入射時のある特定のレーザービームの光量とその他のレーザービームの光量を同一になるよう、その他のレーザービームの光量を補正することでも、各レーザのBDセンサ入射時の光量を同じにできる。
【図面の簡単な説明】
【００６２】
【図１】本発明に係わる露光装置の構成を示す図。
【図２】本発明に係わる露光装置のブロック構成を示す図。
【図３】本発明に係わる第一の実施形態を説明するタイミングチャート。
【図４】本発明に係わる露光装置の光量補正を説明する図。
【図５】本発明に係わる露光装置の制御ブロックを説明する図。
【図６】本発明に係わる第一の実施形態の露光装置の光量調整を説明する図。
【図７】本発明に係わる第一の実施形態の露光装置の光量補正データ。
【図８】本発明に係わる第一の実施形態の露光装置の光量補正データ。
【図９】本発明に係わる第一の実施形態を説明するフローチャート。
【図１０】オーバフィルド光学系の光量分布を説明する図。
【図１１】本発明に係わる第二の実施形態のＶｒｅｆ電圧設定を説明する図。
【図１２】本発明に係わる第二の実施形態の露光装置の光量補正を説明する図。
【図１３】本発明に係わる第一の実施形態の露光装置の光量補正データ。
【符号の説明】
【００６３】
1  光源（半導体レーザ）
8  ポリゴンミラー
27  レーザドライバ
28  露光装置制御部
29  光量補正部
30  定電流回路
52  内部メモリ
53  Ｄ/Ａ変換部
【図１】
2008039914.tif 000003
【図２】
2008039914.tif 000004
【図３】
2008039914.tif 000005
【図４】
2008039914.tif 000006
【図５】
2008039914.tif 000007
【図６】
2008039914.tif 000008
【図７】
2008039914.tif 000009
【図８】
2008039914.tif 000010
【図９】
2008039914.tif 000011
【図１０】
2008039914.tif 000012
【図１１】
2008039914.tif 000013
【図１２】
2008039914.tif 000014
【図１３】
2008039914.tif 000015